(57)【要約】  内部に送風機及び空気清浄装置を有し、室内の天井又は壁面に埋め込まれる本体（１）と、本体（１）の室内側に設置される前面フラット形状の化粧グリル（６）とを備え、天井又は壁と化粧グリル（６）との隙間から送風機により室内の空気を吸い込み、空気清浄装置を通した空気を室内へ吹き出す送風装置であって、本体（１）は、空気清浄装置の周囲に設けられたリブ状の第１の突起（１ｇ）を有し、化粧グリル（６）は、第１の突起（１ｇ）と間隔を空けて対向するリブ状の第２の突起（６ｅ）を有し、第１の突起（１ｇ）と第２の突起（６ｅ）との間の隙間（１７）は、蛇行形状である。
2017175388.tif 000002
【特許請求の範囲】
【請求項１】
内部に送風機及び空気清浄装置を有し、室内の天井又は壁面に埋め込まれる本体と、該本体の室内側に設置される化粧グリルとを備え、前記天井又は前記壁と前記化粧グリルとの隙間から前記送風機により室内の空気を吸い込み、前記空気清浄装置を通した空気を室内へ吹き出す送風装置であって、
前記本体は、前記空気清浄装置の周囲に設けられたリブ状の第１の突起を有し、
前記化粧グリルは、前記第１の突起と間隔を空けて対向するリブ状の第２の突起を有し、
前記第１の突起と前記第２の突起との間の隙間は、蛇行形状であることを特徴とする送風装置。
【請求項２】
前記第１の突起と前記第２の突起との間の隙間は、国際電機標準会議の規格ＩＥＣ６０５２９の保護等級２級に準拠していることを特徴とする請求項１に記載の送風装置。
【発明の詳細な説明】
【技術分野】
【０００１】
本発明は、本体が天井面又は壁面に埋め込まれ、化粧グリル部分が室内に配置される送風装置に関する。
【背景技術】
【０００２】
近年、建物内の空気を清浄化された状態に維持するために空気清浄装置が広く使用されている。空気清浄装置の形態の一つである電気式空気清浄装置は、一般的には、空気中の浮遊粒子である塵埃をコロナ放電によって帯電させる帯電部であるイオン化部と、耐電された塵埃をクーロン力で集塵板に付着させる集塵部であるコレクタ部とを備えている。特許文献１には、本体を天井裏に埋め込み、化粧グリル部分のみを室内に配置する空気清浄装置が開示されている。
【先行技術文献】
【特許文献】
【０００３】
【特許文献１】特許第４８４２０４２号公報
【発明の概要】
【発明が解決しようとする課題】
【０００４】
しかしながら、天井裏空間は建屋によっては狭い場合があるため、上記特許文献１に開示される発明は、多くの建屋に設置可能とするためには、本体をできるだけ小さくする必要がある。本体をできるだけ小さくするには、放電部と風路開口部との距離を小さくする必要があるが、高電圧が印加されている放電部付近まで外部から異物が挿入されると、故障の原因となりうる。このため、風路開口部を狭くし、外部から異物を挿入できないようにすることが必要であるが、風路開口部を狭くすると圧力損失が大きくなる。したがって、高出力の送風装置を用いない限り、本体の小型化を実現することは困難である。また、風路開口部を狭くすると、騒音が大きくなる問題が生じる。【０００５】
本発明は、上記に鑑みてなされたものであって、空気清浄装置を備えつつ本体の大型化を抑え、かつ低騒音を実現できる送風装置を得ることを目的とする。
【課題を解決するための手段】
【０００６】
上述した課題を解決し、目的を達成するために、本発明は、内部に送風機及び空気清浄装置を有し、室内の天井又は壁面に埋め込まれる本体と、本体の室内側に設置される前面フラット形状の化粧グリルとを備え、天井又は壁と化粧グリルとの隙間から送風機により室内の空気を吸い込み、空気清浄装置を通した空気を室内へ吹き出す送風装置であって、本体は、空気清浄装置の周囲に設けられたリブ状の第１の突起を有し、化粧グリルは、第１の突起と間隔を空けて対向するリブ状の第２の突起を有する。第１の突起と第２の突起との間の隙間は、蛇行形状である。
【発明の効果】
【０００７】
本発明に係る送風装置は、空気清浄装置を備えつつ本体の大型化を抑え、かつ低騒音を実現できるという効果を奏する。
【図面の簡単な説明】
【０００８】
【図１】本発明の実施の形態１に係る送風装置の斜視図
【図２】実施の形態１に係る送風装置の取付状態を示す断面図
【図３】実施の形態１に係る送風装置の背面図
【図４】実施の形態１に係る送風装置の化粧グリルを外した状態での正面図
【図５】実施の形態１に係る送風装置の側面図
【図６】実施の形態１に係る送風装置の化粧グリルを外した状態での斜視図
【図７】実施の形態１に係る送風装置の吹き出し側の側面図
【図８】実施の形態１に係る送風装置のファンケーシングの斜視図
【図９】実施の形態１に係る送風装置の埃取りフィルタの斜視図
【図１０】実施の形態１に係る送風装置の化粧グリルの斜視図
【図１１】実施の形態１に係る送風装置の化粧グリルを開いた状態での斜視図
【図１２】実施の形態１に係る送風装置の吹き出し部分の突起の模式図
【図１３】実施の形態１に係る送風装置の吹き出し部分の突起の模式図
【図１４】実施の形態１に係る送風装置の高電圧ユニットの斜視図
【図１５】実施の形態１に係る送風装置の高電圧ユニットの内部構成を示す斜視図
【図１６】実施の形態１に係る高電圧ユニットの回路図
【図１７】実施の形態１に係る送風装置の変形例を示す図
【発明を実施するための形態】
【０００９】
以下に、本発明の実施の形態に係る送風装置を図面に基づいて詳細に説明する。なお、この実施の形態によりこの発明が限定されるものではない。
【００１０】
実施の形態１．
図１は、本発明の実施の形態１に係る送風装置の斜視図である。図２は、実施の形態１に係る送風装置の取付状態を示す断面図である。図３は、実施の形態１に係る送風装置の背面図である。図４は、実施の形態１に係る送風装置の化粧グリルを外した状態での正面図である。図５は、実施の形態１に係る送風装置の側面図である。図６は、実施の形態１に係る送風装置の化粧グリルを外した状態での斜視図である。図７は、実施の形態１に係る送風装置の吹き出し側の側面図である。実施の形態１に係る送風装置は、天井又は壁面に埋め込まれる樹脂製の本体１と、遠心式の多翼式送風機２と、多翼式送風機２を収納するファンケーシング４と、多翼式送風機２の後流側に配置された空気清浄装置である高電圧ユニット５と、化粧グリル６とを備えている。
【００１１】
多翼式送風機２は、モータ７と、モータ７の駆動軸に差し込み結合されたファン３とを備えている。なお、多翼式送風機２の代わりに軸流式の送風機を用いることも可能である。本体１の背面には、本体１の外に引き出し可能な端子台８と、制御回路１０を収納する回路収納ケース９とが設置されている。端子台８は、本体１の外に引き出すことにより、容易に外部電源電線と接続可能である。
【００１２】
化粧グリル６を通りファンケーシング４の吸込口４ｄからファンケーシング４内に吸い込まれた空気は、多翼式送風機２によって本体１の内壁に沿って後流の高電圧ユニット５を通過し、化粧グリル６から室内へ吹き出される。
【００１３】
図１から図４に示すように、本体１は、一面が開口した箱形であり、開口している面とは逆の面にモータ７が設置されている。なお、モータ７が設置された面は、天井への据付状態では天面となる。本体１は、取付面１６と平行方向に張り出す正方形状のフランジ１ａを前面に有する。送風装置は、フランジ１ａの８箇所に設けられた固定ねじ取付部１ｂを利用し、４箇所以上において固定ねじで取付面１６へ固定される。なお、固定ねじには木ねじを適用できるが、これに限定されない。
【００１４】
ファンケーシング４は、主に多翼式送風機２を収納するとともに、下面が開放されて吸込口４ｄが形成されている。図４及び図６に示すように、吸込口４ｄの上流側には埃取りフィルタ１３が設置される。図８は、実施の形態１に係る送風装置のファンケーシングの斜視図である。図９は、実施の形態１に係る送風装置の埃取りフィルタの斜視図である。ファンケーシング４は、埃取りフィルタ１３を固定するための固定部４ａ及び爪引っ掛け部４ｂを備えている。固定部４ａに埃取りフィルタ１３の固定部１３ａを固定するとともに、爪引っ掛け部４ｂに、埃取りフィルタ１３の爪部１３ｂを係合させることにより、埃取りフィルタ１３がファンケーシング４に固定される。
【００１５】
図１０は、実施の形態１に係る送風装置の化粧グリルの斜視図である。化粧グリル６は、送風装置の意匠性の向上及びファン３への異物混入の防止を主な目的とする部材である。化粧グリル６は、樹脂製の一体成形物である。実施の形態１では、意匠性を考慮して、化粧グリル６は前面フラット形状となっている。化粧グリル６の前面をフラットにすることで、図５に示すように、天井又は壁面といった取付面１６と平行な方向で空気の吸い込み及び吹き出しを行える。
【００１６】
化粧グリル６は、軸受６ａと爪６ｂとが本体１の軸１ｄ及び爪１ｅとそれぞれ係合することで固定される。図１１は、実施の形態１に係る送風装置の化粧グリルを開いた状態での斜視図である。化粧グリル６の爪６ｂを本体１の爪１ｅから外すことで、図１１に示すように、化粧グリル６は、軸受６ａ及び軸１ｄを中心に回転方向に開閉する。
【００１７】
図１０に示すように、化粧グリル６の吹き出し部分には、第２の突起であるリブ状の突起６ｅが設けられている。突起６ｅは、長手方向において凸部と凹部とが連なった形状である。また、図６に示すように、本体１にも吹き出し部分に第１の突起であるリブ状の突起１ｇが設けられている。突起１ｇは、長手方向において凸部と凹部とが連なった形状である。突起１ｇは、高電圧ユニット５の周囲に設けられている。突起６ｅと突起１ｇとは、同じ形状及び同じ大きさであり、凸部と凹部とのピッチも同じである。図７に示すように、突起１ｇの凸部と突起６ｅの凹部とが突起１ｇ及び突起６ｅの突出方向に沿って対向し、突起１ｇの凹部と突起６ｅの凸部とが突起１ｇ及び突起６ｅの突出方向に沿って対向する。したがって、突起１ｇと突起６ｅとの間の隙間１７は、蛇行形状となっている。ここで、蛇行形状の隙間とは、長手方向に沿って見た場合に、隙間を挟んで対峙する二つの部材の一方が凸で他方が凹の部分と、一方が凹で他方が凸の部分とが交互に出現することを意味する。すなわち、実施の形態１において隙間１７が蛇行形状であることは、隙間１７を長手方向に沿って見た場合に、突起１ｇの凸部と突起６ｅの凹部とが対峙する部分と突起１ｇの凹部と突起６ｅの凸部が対峙する部分とが交互に出現することを意味する。蛇行形状の例には、正弦波形状、三角波形状、パルス波形状及びミアンダ形状を挙げることができるが、これらの形状に限定されない。
【００１８】
隙間１７の幅は概ね一定に保たれている。吹き出し部分の隙間１７は、異物を挿入できない幅となっている。隙間１７は、電気用品安全法に定められた充電部からの保護の試験に用いる試験指の直径よりも小さい１２ｍｍ未満とすることで、隙間１７に指が挿入されることを防止できる。なお、隙間１７を１２ｍｍ未満とした場合には、ＩＥＣ（International  Electrotechnical  Commission）とも称される国際電機標準会議の規格であるＩＥＣ６０５２９の保護等級２級に相当する。隙間１７の幅は１２ｍｍ未満に限定されない。
【００１９】
図１２は、実施の形態１に係る送風装置の吹き出し部分の突起の模式図である。突起１ｇ及び突起６ｅは、図１２に示すような正弦波形である。図１３は、実施の形態１に係る送風装置の吹き出し部分の突起の模式図である。図１３に示すように、突起１ｇ及び突起６ｅは、三角波形であってもよい。
【００２０】
実施の形態１に係る送風装置は、化粧グリル６の一方の半面から吸い込み、他方の半面から吹き出す構造のため、吸い込み側１４と吹き出し側１５とを区切る必要がある。図１０に示すように、化粧グリル６は、背面に吸い込み吹き出し区切りリブ６ｃを備えている。また、図６に示すように、本体１は、吸い込み吹き出し区切りリブ１ｆが２箇所に設けられている。図８に示すように、ファンケーシング４には、吸い込み側１４と吹き出し側１５とを区切る吸い込み吹き出し区切りリブ４ｃが設けられている。送風装置の吸い込み及び吹き出し方向は、図６に矢印で示すようにそれぞれ３方向である。
【００２１】
図１４は、実施の形態１に係る送風装置の高電圧ユニットの斜視図である。図１５は、実施の形態１に係る送風装置の高電圧ユニットの内部構成を示す斜視図である。図１６は、実施の形態１に係る高電圧ユニットの回路図である。高電圧ユニット５は、放電電極１１、対向電極１２及び外郭１８を有する。外郭１８は樹脂製である。放電電極１１は、ワイヤ状で強度を有する電気伝導体である。対向電極１２は、電気伝導体である。放電電極１１の材料には、タングステンを例示できるが、これに限定されない。対向電極１２の材料には、ステンレスを例示できるが、これに限定されない。放電電極１１及び対向電極１２は、埃付着時に水洗いできるように、水で錆びることのない材料で構成されている。高電圧ユニット５は、図１６に示すように、放電電極１１を両側から挟む形で対向電極１２を配置した構造である。電圧側の放電電極１１とグラウンド側の対向電極１２との間に高電圧を印加し、放電及び電界空間を発生させる。
【００２２】
図１７は、実施の形態１に係る送風装置の変形例を示す図である。実施の形態１に係る送風装置は、多翼式送風機２の後流側に高電圧ユニット５を配置し、本体１の吹き出し部分に波状の突起１ｇを設け、化粧グリル６の吹き出し部分に波状の突起６ｅを設けているが、図１７に示すように、モータ７の駆動軸が取付面１６と平行になるように多翼式送風機２を設置する場合には、多翼式送風機２の前流側に高電圧ユニット５を配置した方が空間効率的に有利である。高電圧ユニット５を多翼式送風機２の前流側に配置する場合には、本体１の吸い込み側に突起１ｇを設け、化粧グリル６の吸い込み側に突起６ｅを設けてもよい。
【００２３】
実施の形態１に係る送風装置は、隙間１７が蛇行形状であるため、隙間が直線状である場合と比較して、単位面積当たりの隙間１７の面積を大きくすることができる。したがって、本体１の大きさが同じであるならば、隙間１７が占める面積は、隙間が直線状である場合よりも大きくなる。したがって、実施の形態１に係る送風装置は、空気清浄装置である高電圧ユニット５を備えつつ本体１の大型化を抑え、かつ低騒音を実現することができる。
【００２４】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００２５】
１  本体、１ａ  フランジ、１ｂ  固定ねじ取付部、１ｄ  軸、１ｅ，６ｂ  爪、１ｆ，４ｃ，６ｃ  吸い込み吹き出し区切りリブ、１ｇ，６ｅ  突起、２  多翼式送風機、３  ファン、４  ファンケーシング、４ａ，１３ａ  固定部、４ｂ  爪引っ掛け部、４ｄ  吸込口、５  高電圧ユニット、６  化粧グリル、６ａ  軸受、７  モータ、８  端子台、９  回路収納ケース、１０  制御回路、１１  放電電極、１２  対向電極、１３  埃取りフィルタ、１３ｂ  爪部、１４  吸い込み側、１５  吹き出し側、１６  取付面、１７  隙間、１８  外郭。
【図１】
2017175388.tif 000003
【図２】
2017175388.tif 000004
【図３】
2017175388.tif 000005
【図４】
2017175388.tif 000006
【図５】
2017175388.tif 000007
【図６】
2017175388.tif 000008
【図７】
2017175388.tif 000009
【図８】
2017175388.tif 000010
【図９】
2017175388.tif 000011
【図１０】
2017175388.tif 000012
【図１１】
2017175388.tif 000013
【図１２】
2017175388.tif 000014
【図１３】
2017175388.tif 000015
【図１４】
2017175388.tif 000016
【図１５】
2017175388.tif 000017
【図１６】
2017175388.tif 000018
【図１７】
2017175388.tif 000019
【国際調査報告】
2017175388.tif 000020
2017175388.tif 000021